(57)【要約】【課題】    ピアス用キャッチの装飾性を高めることで、耳の表側だけでなく裏側についても見栄えを良好にする。【解決手段】  ピアス用キャッチ(３)において、ピアス本体(２)側の取付けピン(９)が差し込まれて、耳たぶの裏側に取り付けられるキャッチ本体(４)とは別に、このキャッチ本体(４)を装飾する装飾体(20)を設ける。【選択図】  図１
0003107563.tif 000002
【実用新案登録請求の範囲】
【請求項１】
ピアス本体側の取付けピンが差し込まれて、耳たぶの裏側に取り付けられるキャッチ本体と、このキャッチ本体を装飾する装飾体とを備えていることを特徴とするピアス用キャッチ。
【請求項２】
前記装飾体は、前記キャッチ本体に嵌着されている請求項１記載のピアス用キャッチ。
【請求項３】
前記キャッチ本体は、取付けピン挿通用の挿通孔を有する略筒状のピン保持部を備え、このピン保持部に、前記装飾体が外嵌されている請求項１又は２記載のピアス用キャッチ。
【請求項４】
前記キャッチ本体は、耳たぶの裏側に押し当てられる押し当て部を備え、前記装飾体は、少なくとも前記押し当て部における耳たぶとの当接面とは反対側の表面を覆うようにして設けられている請求項１乃至３のいずれかに記載のピアス用キャッチ。
【請求項５】
前記キャッチ本体は、シリコンゴム等の弾性素材からなるものである請求項１乃至４のいずれかに記載のピアス用キャッチ。
【請求項６】
前記装飾体に、別の装飾体が吊り下げ支持されている請求項１乃至５のいずれかに記載のピアス用キャッチ。
【請求項７】
請求項１乃至６のいずれかに記載のピアス用キャッチを備えていることを特徴とするピアス。
【考案の詳細な説明】
【技術分野】
【０００１】
この考案は、耳からのピアス本体の脱落を防止するために用いられるピアス用キャッチ、およびこのキャッチを備えたピアスに関する。
【背景技術】
【０００２】
耳に装着されるピアスの種類としては、様々なタイプのものが知られているが、それらの中でも、ピアス本体が備える取付けピンを、耳たぶに空けたピアス用孔に挿通させて装着するタイプのものが広く用いられている。
【０００３】
このようなタイプのピアスでは、耳たぶの裏側において、取付けピンの突出部分をピアス用キャッチに差し込んで保持することで、取付けピンの抜け外れを防止できるようになっている。そのようなキャッチとしては、金属製のものが用いられることが多いが、金属アレルギー対策として、シリコンゴム製のキャッチも一般的に用いられている。
【考案の開示】
【考案が解決しようとする課題】
【０００４】
しかし、一般に、ピアス用キャッチは、ピアス本体を保持するためだけに用いられるものであって装飾の意図はなく、特にシリコンゴム製のキャッチは装飾性に乏しい。従って、このようなキャッチが、耳の裏側において見えるようなことがあると、折角ピアスを装着しているにもかかわらず、その装飾性を損なってしまうといった欠点があった。
【０００５】
そこで、この考案は、上記のような不具合を解消して、ピアス用キャッチの装飾性を高めることで、耳の表側だけでなく裏側についても見栄えを良好にすることを目的とする。
【課題を解決するための手段】
【０００６】
上記の課題を解決するため、この考案におけるピアス用キャッチは、ピアス本体側の取付けピンが差し込まれて、耳たぶの裏側に取り付けられるキャッチ本体と、このキャッチ本体を装飾する装飾体とを備えていることを特徴とする。
【０００７】
また、前記装飾体は、前記キャッチ本体に嵌着されている。具体的に、前記キャッチ本体は、取付けピン挿通用の挿通孔を有する略筒状のピン保持部を備え、このピン保持部に、前記装飾体が外嵌されている。
【０００８】
さらにまた、前記キャッチ本体は、耳たぶの裏側に押し当てられる押し当て部を備え、前記装飾体は、少なくとも前記押し当て部における耳たぶとの当接面とは反対側の表面を覆うようにして設けられている。
【０００９】
さらに、前記キャッチ本体は、シリコンゴム等の弾性素材からなるものである。なお、ここでいう弾性素材とは、ゴム又は軟質合成樹脂等のゴム弾性を有する素材を指すものである。
【００１０】
加えて、前記装飾体に、別の装飾体が吊り下げ支持されている。
【００１１】
また、この考案におけるピアスは、上記のピアス用キャッチを備えていることを特徴とする。
【考案の効果】
【００１２】
この考案のピアス用キャッチでは、キャッチ本体を装飾する装飾体を備えているため、キャッチ本体の装飾性を高めて、耳の表側だけでなく裏側についても見栄えを良好にすることができる。
【００１３】
また、キャッチ本体とは別体の装飾体を、キャッチ本体のピン保持部に外嵌しているので、例えばキャッチ本体に装飾体を吊り下げるような場合と比較して、キャッチ本体と装飾体とを一体化させて、キャッチ本体全体を効果的に装飾することができる。
【００１４】
しかも、キャッチ本体に孔あけ等の特別な加工を施したり、キャッチ本体の大幅な設計変更を伴ったりすることなく、装飾体をキャッチ本体に簡単に取り付けることができ、装飾性の高いキャッチを容易に製造することができる。
【００１５】
また、装飾体は、キャッチ本体の押し当て部における耳たぶとの当接面とは反対側の表面を覆うようにして設けられているため、装飾体によって押し当て部を隠しながら、キャッチ本体をより効果的に装飾することができる。
【００１６】
さらに、キャッチ本体として、シリコンゴム等の弾性素材からなるものを用いることで、金属アレルギーによるかぶれ等を防ぐことができる。
【００１７】
また、上記の装飾体に、別の装飾体を吊り下げ支持させることで、ピアスの装飾性をより一層高めることができる。
【考案を実施するための最良の形態】
【００１８】
以下、この考案の実施形態を図面に基づいて詳細に説明する。図１乃至図３には、この考案の一実施形態に係るピアス(１)が示されており、このピアス(１)は、耳たぶ表側に取り付けられるピアス本体(２)と、耳たぶ裏側に取り付けられて、ピアス本体(２)の耳からの脱落を防止するキャッチ(３)とからなる。
【００１９】
ピアス本体(２)は、装飾部材(30)と、この装飾部材(30)に突設された取付けピン(９)とを備えている。装飾部材(30)は、耳たぶ表側に押し付けられる球状材(34)から複数の装飾材(35)(36)(37)(38)を吊り下げた吊下げタイプのものが使用されている。なお、装飾部材(30)としては、このような吊下げタイプに限定されるものではなく、少なくとも耳たぶ表側を装飾するものであれば良い。
【００２０】
ピアス用キャッチ(３)は、ピアス本体(２)側の取付けピン(９)が差し込まれて、耳たぶ裏側に取り付けられるキャッチ本体(４)と、このキャッチ本体(４)を装飾する装飾体(20)とを備えている。
【００２１】
図４および図５に示すように、キャッチ本体(４)は、例えばシリコンゴム製であって、耳たぶ裏側に押し当てられる押し当て部(５)と、取付けピン(９)挿通用の挿通孔(10)を有する略筒状のピン保持部(６)とを一体成形してなる。すなわち、耳に接触する押し当て部(５)が、シリコンゴムからなっているため、金属アレルギーによるかぶれ等を防ぐことができるようになっている。
【００２２】
なお、キャッチ本体(４)の材質は、ゴム弾性を有する素材であれば、必ずしもシリコンゴムに限られるものではなく、シリコンゴム以外のゴム、又は軟質合成樹脂等の弾性素材を用いるようにしても良い。
【００２３】
押し当て部(５)は、略円盤状に形成されており、この押し当て部(５)の一方の面が、耳たぶに当接する当接面(11)となっている。また、押し当て部(５)の周端面(13)は、図５に示すように、当接面(11)側に向かうに連れて径が漸減するような滑らかな曲面となっており、この周端面(13)と当接面(11)とのコーナー部分が丸みを帯びた形状となっている。
【００２４】
ピン保持部(６)は、押し当て部(５)における当接面(11)とは反対側の表面(12)より突出するようにして設けられ、先端側に向かうに連れて径が小さくなるようなテーパ状に形成されている。
【００２５】
取付けピン(９)挿通用の挿通孔(10)は、押し当て部(５)の当接面(11)からピン保持部(６)の先端に亘るまで、キャッチ本体(４)を貫通して設けられている。この挿通孔(10)は、その径がピアス本体(２)側の取付けピン(９)の径とほぼ等しくなるように形成されており、ピン保持部(６)の略軸芯部を通るようにして設けられている。
【００２６】
装飾体(20)は、図４に示すように、装飾性を有する複数の装飾材(21)(21)…が環状に連結されて形成され、これら装飾材(21)(21)…によって囲まれる中央部が、キャッチ本体(４)のピン保持部(６)を挿通させるための挿通孔(22)となっている。装飾材(21)(21)…としては、例えば、貴金属、宝石、ガラス等を加工したものが用いられている。
【００２７】
なお、装飾体(20)は、必ずしも上記の構成によるものに限定されるものではなく、例えば、１つの環状の装飾材により構成するようにしても良い。
【００２８】
この装飾体(20)のキャッチ本体(４)への取付けに際しては、図５に示すように、装飾体(20)の挿通孔(22)に対して、キャッチ本体(４)のピン保持部(６)をその先端側より差し入れて、押し当て部(５)の表面(12)に装飾体(20)を当接させるようにして、装飾体(20)をキャッチ本体(４)のピン保持部(６)に外嵌している。
【００２９】
このとき、ピン保持部(６)は、テーパ状に形成されているため、装飾体(20)の挿通孔(22)に対してスムーズに差し入れることができる。
【００３０】
そして、キャッチ本体(４)と装飾体(20)とは、接着等によって互いに固定されるようになっている。なお、キャッチ本体(４)と装飾体(20)との固定は、必ずしも接着によるものに限られず、キャッチ本体(４)と装飾体(20)のそれぞれに係合部を設けて、それら係合部を互いに係合させることで固定するようにしたり、装飾体(20)の挿通孔(22)に対してキャッチ本体(４)を圧入することで固定するようにしても良い。
【００３１】
このようなキャッチ本体(４)への装飾体(20)の外嵌状態においては、装飾体(20)が、押し当て部(５)の表面(12)を覆うような状態となっている。すなわち、装飾体(20)によって、キャッチ本体(４)の押し当て部(５)の大部分を隠しながら、キャッチ本体(４)を効果的に装飾できるようになっている。
【００３２】
さらに、上記のキャッチ(３)の装飾体(20)には、図１および図２に示すように、連結部材(24)を介して、別の吊下げ用の装飾体(25)が吊り下げ支持されている。連結部材(24)は例えば円環状に形成されており、キャッチ(３)の装飾体(20)を構成するいずれか１つの装飾材(21)に連結されている。
【００３３】
吊下げ用の装飾体(25)は、連結部材(24)から垂れ下がったチェーン(27)の先端に、装飾材(26)を取り付けたものである。このように、キャッチ(３)側において、キャッチ本体(４)を装飾する装飾体(20)に加えて、吊下げ用の装飾体(25)を別途設けることで、ピアス(１)の装飾性がより一層高められるようになっている。
【００３４】
なお、装飾体(25)は、必ずしもチェーン(27)で吊り下げる必要はなく、紐や棒等で吊り下げるようにしても良い。また、装飾体(25)は、必ずしも設ける必要はないものである。
【００３５】
この考案は、上記実施形態に限定されるものではなく、この考案の範囲内で上記実施形態に多くの修正及び変更を加え得ることは勿論である。
【図面の簡単な説明】
【００３６】
【図１】この考案の一実施形態に係るピアスを示す斜視図である。
【図２】ピアス本体側の取付けピンをキャッチに差し込んだ状態を示す斜視図である。
【図３】ピアスの装着状態を示す斜視図である。
【図４】ピアス用キャッチを示す分解斜視図である。
【図５】ピアス用キャッチを示す断面図である。
【符号の説明】
【００３７】
(１)  ピアス
(２)  ピアス本体
(３)  ピアス用キャッチ
(４)  キャッチ本体
(５)  押し当て部
(６)  ピン保持部
(９)  取付けピン
(10)  取付けピン挿通用の挿通孔
(11)  押し当て部における耳たぶとの当接面
(12)  押し当て部における当接面とは反対側の表面
(20)  キャッチ本体を装飾する装飾体
(25)  別の装飾体(吊下げ用の装飾体)
【図１】
0003107563.tif 000003
【図２】
0003107563.tif 000004
【図３】
0003107563.tif 000005
【図４】
0003107563.tif 000006
【図５】
0003107563.tif 000007